(57)【要約】【課題】本発明はアクアリウムライトを開示した。【解決手段】ランプホルダを含み、前記ランプホルダの中には横板溝が左右対称的に設置され、前記横板溝の中にはそれぞれ横板がスライドできるように連結され、前記横板の一端が外へ伸びて外部空間に入っており、且つ前記横板の一端には第一ヒンジ連結ロッドがヒンジにより連結され、前記第一ヒンジ連結ロッドのもう一端には第二ヒンジ連結ロッドがヒンジにより連結され、前記つまみを回転させ、これにより前記親ねじを連動させて回転させ、これにより前記ネジ山ブロックを連動させて移動させ、アクアリウムの壁をきつく挟むことができ、本装置はアクアリウムの長さにより本装置の長さを調節でき、また使用者の需要に応じて本装置の高さを調節でき、従来のアクアリウムライトがただ長さだけを調節できる欠点を解消し、これにより本装置の応用範囲がもっと広く、実用性がもっと高い。【選択図】図１
2020177888.tif 000002
【特許請求の範囲】
【請求項１】
ランプホルダを含み、前記ランプホルダの中には横板溝が左右対称的に設置され、前記横板溝の中にはそれぞれ横板がスライドできるように連結され、前記横板の一端が外へ伸びて外部空間に入っており、且つ前記横板の一端には第一ヒンジ連結ロッドがヒンジにより連結され、前記第一ヒンジ連結ロッドのもう一端には第二ヒンジ連結ロッドがヒンジにより連結され、前記第二ヒンジ連結ロッドのもう一端には底板がヒンジにより連結され、前記横板の上端面には支持板が固定的に連結され、前記支持板の下端面にはシリンダーが固定的に連結され、前記シリンダーの中には気室が設置され、前記気室の中には高圧気体があり、前記気室の右端壁には通気管が設置され、前記通気管のもう一端には昇降スライド溝が連結され、前記昇降スライド溝の中には気圧スライダがスライドできるように連結され、前記気圧スライダの下端面には前記昇降スライド溝の下端壁と前記シリンダーの下端面とスライドできるように連結されている伸縮ロッドが固定的に連結され、前記伸縮ロッドの下端が前記底板の上端面と固定的に連結され、前記支持板の中にはモータが設置され、前記モータの下端にはモータ軸が連結され、前記モータ軸が前記シリンダーと回転できるように連結され、前記通気管の右端壁には回転盤溝が設置され、前記モータ軸の一部が前記回転盤溝の中に入っており、前記モータ軸の下端には前記回転盤溝とスライドできるように連結されている回転盤が固定的に設置され、前記回転盤の中には前記通気管と連通できる抜き孔が設置され、前記底板の中には固定溝が設置され、前記固定溝の中にはアクアリウムをきつく挟むことができる固定装置が設置され、前記横板溝の上端壁にはリミット溝が設置され、各前記横板溝の下端壁にはそれぞれ九つの引っ掛かり溝が設置され、前記引っ掛かり溝の下端壁には駆動チャンバが設置され、前記横板溝の間には作動チャンバも設置され、前記駆動チャンバと、前記横板溝と、前記作動チャンバとの中には長さを制御できる調節装置が設置され、前記ランプホルダの下端面には小電球が設置されていることを特徴とするアクアリウムライト。
【請求項２】
前記固定装置は前記固定溝の左右端壁に回転できるように装着されている親ねじを含み、前記親ねじの一端には前記親ねじの回転を制御できるつまみが設置され、前記親ねじにはネジ山ブロックがネジ山により連結され、前記ネジ山ブロックの片端面にはフォームクッションが設置され、前記底板の下端面には前記ネジ山ブロックと協働する固定板が固定的に連結されていることを特徴とする請求項１に記載のアクアリウムライト。
【請求項３】
前記調節装置は前記作動チャンバの左右端壁に左右対称的に設置されているスライドロッド溝を含み、各前記スライドロッド溝の中にはそれぞれ長スライドロッドがスライドできるように連結され、前記長スライドロッドと前記スライドロッド溝との間にはスライドロッドばねが連結され、前記長スライドロッドの間には移動ブロックが固定的に連結され、前記移動ブロックの中には移動軸が回転できるように連結され、前記移動軸の上端には回転ブロックが固定的に連結され、前記移動軸の下端には第一ベベルギヤが固定的に連結され、前記リミット溝の中には前記横板と固定的に連結されているリミットブロックがスライドできるように連結され、前記リミットブロックと前記リミット溝との間にはリミットばねが連結され、前記引っ掛かり溝の中にはそれぞればねブロックがスライドできるように連結され、前記ばねブロックと前記引っ掛かり溝との間には小ばねが連結され、前記駆動チャンバの左右端壁には貫通軸が回転できるように連結され、前記貫通軸にはそれぞれ前記ばねブロックと相対する九つの纏わり輪が設置され、前記貫通軸が正方向へ回転すると前記纏わり輪を連動させて回転させることができ、前記貫通軸が逆方向へ回転すると前記纏わり輪を連動させて回転させることができなく、前記纏わり輪と相対した前記ばねブロックとの間には縄が連結され、前記貫通軸の一端が前記作動チャンバの中に入っており、且つ前記作動チャンバと回転できるように連結され、前記作動チャンバにある前記貫通軸には前記第一ベベルギヤと噛み合うことができる第二ベベルギヤが設置されていることを特徴とする請求項１に記載のアクアリウムライト。
【発明の詳細な説明】
【技術分野】
【０００１】
本発明は照明器具分野を取り上げて、具体的にはアクアリウムライトである。
【背景技術】
【０００２】
魚を養殖する時、照明器具を使用してアクアリウムの美観を高める必要があり、一般的なアクアリウムライトは長さの調節だけを行うことができ、高さの調節を行うことができなく、そのため、アクアリウムライトの実用性があまり高くない。
【先行技術文献】
【特許文献】
【０００３】
【特許文献１】中国特許出願公開第102095134号明細書
【発明の概要】
【発明が解決しようとする課題】
【０００４】
本発明はアクアリウムライトを提供し、上記背景技術において提出された問題を解決することを目的とする。
【課題を解決するための手段】
【０００５】
上記の目的を実現するために、本発明は以下の技術プランを提供する：アクアリウムライトは、ランプホルダを含み、前記ランプホルダの中には横板溝が左右対称的に設置され、前記横板溝の中にはそれぞれ横板がスライドできるように連結され、前記横板の一端が外へ伸びて外部空間に入っており、且つ前記横板の一端には第一ヒンジ連結ロッドがヒンジにより連結され、前記第一ヒンジ連結ロッドのもう一端には第二ヒンジ連結ロッドがヒンジにより連結され、前記第二ヒンジ連結ロッドのもう一端には底板がヒンジにより連結され、前記横板の上端面には支持板が固定的に連結され、前記支持板の下端面にはシリンダーが固定的に連結され、前記シリンダーの中には気室が設置され、前記気室の中には高圧気体があり、前記気室の右端壁には通気管が設置され、前記通気管のもう一端には昇降スライド溝が連結され、前記昇降スライド溝の中には気圧スライダがスライドできるように連結され、前記気圧スライダの下端面には前記昇降スライド溝の下端壁と前記シリンダーの下端面とスライドできるように連結されている伸縮ロッドが固定的に連結され、前記伸縮ロッドの下端が前記底板の上端面と固定的に連結され、前記支持板の中にはモータが設置され、前記モータの下端にはモータ軸が連結され、前記モータ軸が前記シリンダーと回転できるように連結され、前記通気管の右端壁には回転盤溝が設置され、前記モータ軸の一部が前記回転盤溝の中に入っており、前記モータ軸の下端には前記回転盤溝とスライドできるように連結されている回転盤が固定的に設置され、前記回転盤の中には前記通気管と連通できる抜き孔が設置され、前記底板の中には固定溝が設置され、前記固定溝の中にはアクアリウムをきつく挟むことができる固定装置が設置され、前記横板溝の上端壁にはリミット溝が設置され、各前記横板溝の下端壁にはそれぞれ九つの引っ掛かり溝が設置され、前記引っ掛かり溝の下端壁には駆動チャンバが設置され、前記横板溝の間には作動チャンバも設置され、前記駆動チャンバと、前記横板溝と、前記作動チャンバとの中には長さを制御できる調節装置が設置され、前記ランプホルダの下端面には小電球が設置されている。
【０００６】
好ましくは、前記固定装置は前記固定溝の左右端壁に回転できるように装着されている親ねじを含み、前記親ねじの一端には前記親ねじの回転を制御できるつまみが設置され、前記親ねじにはネジ山ブロックがネジ山により連結され、前記ネジ山ブロックの片端面にはフォームクッションが設置され、前記底板の下端面には前記ネジ山ブロックと協働する固定板が固定的に連結されている。
【０００７】
好ましくは、前記調節装置は前記作動チャンバの左右端壁に左右対称的に設置されているスライドロッド溝を含み、各前記スライドロッド溝の中にはそれぞれ長スライドロッドがスライドできるように連結され、前記長スライドロッドと前記スライドロッド溝との間にはスライドロッドばねが連結され、前記長スライドロッドの間には移動ブロックが固定的に連結され、前記移動ブロックの中には移動軸が回転できるように連結され、前記移動軸の上端には回転ブロックが固定的に連結され、前記移動軸の下端には第一ベベルギヤが固定的に連結され、前記リミット溝の中には前記横板と固定的に連結されているリミットブロックがスライドできるように連結され、前記リミットブロックと前記リミット溝との間にはリミットばねが連結され、前記引っ掛かり溝の中にはそれぞればねブロックがスライドできるように連結され、前記ばねブロックと前記引っ掛かり溝との間には小ばねが連結され、前記駆動チャンバの左右端壁には貫通軸が回転できるように連結され、前記貫通軸にはそれぞれ前記ばねブロックと相対する九つの纏わり輪が設置され、前記貫通軸が正方向へ回転すると前記纏わり輪を連動させて回転させることができ、前記貫通軸が逆方向へ回転すると前記纏わり輪を連動させて回転させることができなく、前記纏わり輪と相対した前記ばねブロックとの間には縄が連結され、前記貫通軸の一端が前記作動チャンバの中に入っており、且つ前記作動チャンバと回転できるように連結され、前記作動チャンバにある前記貫通軸には前記第一ベベルギヤと噛み合うことができる第二ベベルギヤが設置されている。
【発明の効果】
【０００８】
以上により、本発明の有益効果は：本装置はアクアリウムの長さにより本装置の長さを調節でき、また使用者の需要に応じて本装置の高さを調節でき、従来のアクアリウムライトがただ長さだけを調節できる欠点を解消し、これにより本装置の応用範囲がもっと広く、実用性がもっと高い。
【図面の簡単な説明】
【０００９】
本発明の実施例または従来技術における技術プランをもっとはっきり説明するために、以下は実施例または従来技術を説明する時に必要な付図を簡単に紹介する。一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１０】
【図１】図１は本発明のアクアリウムライトの全体断面の正面構成模式図
【図２】図２は本発明の図１の中のＡにおける部分拡大図
【図３】図３は本発明の図１の中のＢにおける部分拡大図
【図４】図４は本発明の図１の回転盤の平面図
【発明を実施するための形態】
【００１１】
本発明書に開示した全ての特徴、或いは開示した全ての方法、過程中のステップは、互いに排斥する特徴或いはステップ以外に、いかなる方式で組み合わせることができる。
【００１２】
本発明書（いかなる特許請求の範囲、要約書、及び図面）の中に開示した全ての特徴は、特別な叙述がない限り、そのほかの同等或いは類似する目的を持つ代替特徴に取り替えられる。即ち、特別な叙述がない限り、全ての特徴はただ一連の同等或いは類似する特徴の中の一つの例だけである。
【００１３】
以下に図１〜４を交えて本発明について詳しく説明する。便利に叙述するために、後文に出る方位を下記の通りに規定する：後文に出る上下左右前後方向は図１本体の投影関係の上下左右前後方向と一致する。
【００１４】
図１〜４を参照し、本発明の実施例は：アクアリウムライトであり、ランプホルダ２１を含み、前記ランプホルダ２１の中には横板溝５５が左右対称的に設置され、前記横板溝５５の中にはそれぞれ横板５２がスライドできるように連結され、前記横板５２の一端が外へ伸びて外部空間に入っており、且つ前記横板５２の一端には第一ヒンジ連結ロッド５８がヒンジにより連結され、前記第一ヒンジ連結ロッド５８のもう一端には第二ヒンジ連結ロッド５９がヒンジにより連結され、前記第二ヒンジ連結ロッド５９のもう一端には底板３３がヒンジにより連結され、前記横板５２の上端面には支持板２３が固定的に連結され、前記支持板２３の下端面にはシリンダー３８が固定的に連結され、前記シリンダー３８の中には気室３７が設置され、前記気室３７の中には高圧気体があり、前記気室３７の右端壁には通気管４４が設置され、前記通気管４４のもう一端には昇降スライド溝３６が連結され、前記昇降スライド溝３６の中には気圧スライダ３５がスライドできるように連結され、前記気圧スライダ３５の下端面には前記昇降スライド溝３６の下端壁と前記シリンダー３８の下端面とスライドできるように連結されている伸縮ロッド４５が固定的に連結され、前記伸縮ロッド４５の下端が前記底板３３の上端面と固定的に連結され、前記支持板２３の中にはモータ３９が設置され、前記モータ３９の下端にはモータ軸４０が連結され、前記モータ軸４０が前記シリンダー３８と回転できるように連結され、前記通気管４４の右端壁には回転盤溝４３が設置され、前記モータ軸４０の一部が前記回転盤溝４３の中に入っており、前記モータ軸４０の下端には前記回転盤溝４３とスライドできるように連結されている回転盤４２が固定的に設置され、前記回転盤４２の中には前記通気管４４と連通できる抜き孔４１が設置され、前記底板３３の中には固定溝３４が設置され、前記固定溝３４の中にはアクアリウムをきつく挟むことができる固定装置１０１が設置され、前記横板溝５５の上端壁にはリミット溝６１が設置され、各前記横板溝５５の下端壁にはそれぞれ九つの引っ掛かり溝６２が設置され、前記引っ掛かり溝６２の下端壁には駆動チャンバ５７が設置され、前記横板溝５５の間には作動チャンバ６０も設置され、前記駆動チャンバ５７と、前記横板溝５５と、前記作動チャンバ６０との中には長さを制御できる調節装置１０２が設置され、前記ランプホルダ２１の下端面には小電球２２が設置されている。
【００１５】
前記固定装置１０１は前記固定溝３４の左右端壁に回転できるように装着されている親ねじ２８を含み、前記親ねじ２８の一端には前記親ねじ２８の回転を制御できるつまみ２９が設置され、前記親ねじ２８にはネジ山ブロック３０がネジ山により連結され、前記ネジ山ブロック３０の片端面にはフォームクッション３１が設置され、前記底板３３の下端面には前記ネジ山ブロック３０と協働する固定板３２が固定的に連結され、前記つまみ２９を回転させ、これにより前記親ねじ２８を連動させて回転させ、これにより前記ネジ山ブロック３０を連動させて移動させ、アクアリウムの壁をきつく挟むことができる。
【００１６】
前記調節装置１０２は前記作動チャンバ６０の左右端壁に左右対称的に設置されているスライドロッド溝６５を含み、各前記スライドロッド溝６５の中にはそれぞれ長スライドロッド６３がスライドできるように連結され、前記長スライドロッド６３と前記スライドロッド溝６５との間にはスライドロッドばね６４が連結され、前記長スライドロッド６３の間には移動ブロック２６が固定的に連結され、前記移動ブロック２６の中には移動軸２４が回転できるように連結され、前記移動軸２４の上端には回転ブロック２５が固定的に連結され、前記移動軸２４の下端には第一ベベルギヤ２７が固定的に連結され、前記リミット溝６１の中には前記横板５２と固定的に連結されているリミットブロック５４がスライドできるように連結され、前記リミットブロック５４と前記リミット溝６１との間にはリミットばね５３が連結され、前記引っ掛かり溝６２の中にはそれぞればねブロック５１がスライドできるように連結され、前記ばねブロック５１と前記引っ掛かり溝６２との間には小ばね５０が連結され、前記駆動チャンバ５７の左右端壁には貫通軸４６が回転できるように連結され、前記貫通軸４６にはそれぞれ前記ばねブロック５１と相対する九つの纏わり輪４７が設置され、前記貫通軸４６が正方向へ回転すると前記纏わり輪４７を連動させて回転させることができ、前記貫通軸４６が逆方向へ回転すると前記纏わり輪４７を連動させて回転させることができなく、前記纏わり輪４７と相対した前記ばねブロック５１との間には縄４８が連結され、前記貫通軸４６の一端が前記作動チャンバ６０の中に入っており、且つ前記作動チャンバ６０と回転できるように連結され、前記作動チャンバ６０にある前記貫通軸４６には前記第一ベベルギヤ２７と噛み合うことができる第二ベベルギヤ５６が設置され、使用する時、前記横板５２を外へ抜き、これにより相対した前記ばねブロック５１が跳ね上がり、前記横板５２を遮り、前記横板５２を戻す時、前記回転ブロック２５を片側へ引き動かし、これにより前記第一ベベルギヤ２７が前記第二ベベルギヤ５６と噛み合い、前記回転ブロック２５を正方向へ回転させ、これにより前記移動軸２４と、前記第一ベベルギヤ２７と、前記第二ベベルギヤ５６と、前記貫通軸４６と、前記纏わり輪４７とを連動させて回転させ、これにより全ての前記ばねブロック５１を下へ引くと、前記横板５２が復帰できる。
【００１７】
使用する時、二つの横板５２を外へ抜き、これにより相対したばねブロック５１が跳ね上がり、横板５２を遮り、これにより横板５２が適した長さまで調節され、そしてアクアリウムの端壁が固定板３２とフォームクッション３１との間に固定され、その後、つまみ２９を回転させ、これにより親ねじ２８を連動させて回転させ、これによりネジ山ブロック３０を連動させて移動させ、アクアリウムの壁をきつく挟み、高さを調節する時、モータ３９を始動し、これによりモータ軸４０と回転盤４２を連動させて回転させ、これにより抜き孔４１が通気管４４と位置合わせし、この時、気室３７の中の高圧気体が昇降スライド溝３６の中に入り、気圧スライダ３５を下へ押し、これにより気圧スライダ３５の下端の気体を圧縮し、この時、シリンダー３８が支持板２３とランプホルダ２１を連動させて上へ一番高いところまで移動させ、この時、ランプホルダ２１を下へ押し、昇降スライド溝３６の中の高圧気体を気室３７の中に押して戻らせ、そして回転盤４２を回転させ、これにより通気管４４を閉じ、この時、気圧スライダ３５の下端の気体は圧力が減少して体積が増大し、ランプホルダ２１が下へ運動し、横板５２を戻す時、回転ブロック２５を片側へ引き動かし、これにより第一ベベルギヤ２７が第二ベベルギヤ５６と噛み合い、回転ブロック２５を正方向へ回転させ、これにより移動軸２４と、第一ベベルギヤ２７と、第二ベベルギヤ５６と、貫通軸４６と、纏わり輪４７とを連動させて回転させ、これにより全てのばねブロック５１を下へ引くと、横板５２が復帰できる。
【００１８】
本発明の有益効果は：本装置はアクアリウムの長さにより本装置の長さを調節でき、また使用者の需要に応じて本装置の高さを調節でき、従来のアクアリウムライトがただ長さだけを調節できる欠点を解消し、これにより本装置の応用範囲がもっと広く、実用性がもっと高い。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020177888.tif 000003
【図２】
2020177888.tif 000004
【図３】
2020177888.tif 000005
【図４】
2020177888.tif 000006